(57)【要約】【課題】  バッテリ数の変動に容易に対応でき、容易な回路構成のバッテリ状態監視回路及びバッテリ装置を提供する。【解決手段】  各バッテリに対する各バッテリ状態監視回路は同一の回路構成であるので、バッテリ装置の仕様変更によってバッテリ数が変動したことに対し、その変動に基づいてバッテリ装置は同一の回路構成のバッテリ状態監視回路を追加または削除することのみにより、バッテリ装置は容易に対応できる。また、バッテリ毎にそれぞれ１個の半導体装置として構成されたバッテリ状態監視回路が設けられて回路構成が容易なので、１個のバッテリ状態監視回路が不良品になった場合、その回路だけが良品と交換されることにより、バッテリ装置が正常に動作する。【選択図】  図１
2008278688.tif 000002
【特許請求の範囲】
【請求項１】
充電器または負荷に接続されるバッテリの状態を監視するバッテリ状態監視回路おいて、
前記バッテリの電圧を監視する第一電圧監視端子と、
前記バッテリの電圧を監視する第二電圧監視端子と、
１個のバッテリに対して設けられ、前記第一電圧監視端子と前記第二電圧監視端子との間の電圧が前記バッテリの過充電状態になる時の電圧以上になると、前記充電器から前記バッテリへの充電を禁止するよう制御する過充電検出回路と、
前記１個のバッテリに対して設けられ、前記第一電圧監視端子と前記第二電圧監視端子との間の電圧が前記バッテリの過放電状態になる時の電圧未満になると、前記バッテリから前記負荷への放電を禁止するよう制御する過放電検出回路と、
前記１個のバッテリに対して設けられ、前記第一電圧監視端子と前記第二電圧監視端子との間の電圧が前記バッテリの電圧を他のバッテリの電圧に揃えてセルバランスをとり始める時の電圧以上になると、前記バッテリを放電させるセルバランス回路と、を備え、
１個の半導体装置として構成されていることを特徴とするバッテリ状態監視回路。
【請求項２】
前記過放電検出回路は、前記第一電圧監視端子と前記第二電圧監視端子との間の電圧が前記バッテリの過放電状態になる時の電圧未満になると、前記過充電検出回路及び前記セルバランス回路の全部または一部の動作を停止することを特徴とする請求項１記載のバッテリ状態監視回路。
【請求項３】
前記１個のバッテリに並列接続されたスイッチ回路、
をさらに備えていることを特徴とする請求項１記載のバッテリ状態監視回路。
【請求項４】
充電器または負荷に接続されるバッテリの状態を監視するバッテリ状態監視回路を複数個搭載するバッテリ装置おいて、
前記バッテリの充電または放電の経路に設けられた第一スイッチ回路と、
複数の前記バッテリと、
複数の前記バッテリにそれぞれ並列接続された複数の第二スイッチ回路と、
前記バッテリの電圧が前記バッテリの過充電状態になる時の電圧以上になると、前記第一スイッチ回路をオフに制御し、前記充電器から前記バッテリへの充電を禁止するよう制御する過充電検出回路と、前記バッテリの電圧が前記バッテリの過放電状態になる時の電圧未満になると、前記第一スイッチ回路をオフに制御し、前記バッテリから前記負荷への放電を禁止するよう制御する過放電検出回路と、前記バッテリの電圧が前記バッテリの電圧を他のバッテリの電圧に揃えてセルバランスをとり始める時の電圧以上になると、前記第二スイッチ回路をオンに制御し、前記バッテリを放電させるセルバランス回路と、を有し、複数の前記バッテリにそれぞれ並列接続された複数の前記バッテリ状態監視回路と、を備え、
前記バッテリ状態監視回路は１個の半導体装置として構成されていることを特徴とするバッテリ装置。
【請求項５】
前記過放電検出回路は、前記バッテリの電圧が前記バッテリの過放電状態になる時の電圧未満になると、前記過充電検出回路及び前記セルバランス回路の全部または一部の動作を停止することを特徴とする請求項４記載のバッテリ装置。
【請求項６】
充電器または負荷に接続されるバッテリの状態を監視するバッテリ状態監視回路を複数個搭載するバッテリ装置おいて、
前記バッテリの充電または放電の経路に設けられた第一スイッチ回路と、
複数の前記バッテリと、
前記バッテリに並列接続された第二スイッチ回路と、前記バッテリの電圧が前記バッテリの過充電状態になる時の電圧以上になると、前記第一スイッチ回路をオフに制御し、前記充電器から前記バッテリへの充電を禁止するよう制御する過充電検出回路と、前記バッテリの電圧が前記バッテリの過放電状態になる時の電圧未満になると、前記第一スイッチ回路をオフに制御し、前記バッテリから前記負荷への放電を禁止するよう制御する過放電検出回路と、前記バッテリの電圧が前記バッテリの電圧を他のバッテリの電圧に揃えてセルバランスをとり始める時の電圧以上になると、前記第二スイッチ回路をオンに制御し、前記バッテリを放電させるセルバランス回路と、を有し、複数の前記バッテリにそれぞれ並列接続された複数の前記バッテリ状態監視回路と、を備え、
前記バッテリ状態監視回路は１個の半導体装置として構成されていることを特徴とするバッテリ装置。
【請求項７】
前記過放電検出回路は、前記バッテリの電圧が前記バッテリの過放電状態になる時の電圧未満になると、前記過充電検出回路及び前記セルバランス回路の全部または一部の動作を停止することを特徴とする請求項６記載のバッテリ装置。
【発明の詳細な説明】
【技術分野】
【０００１】
本発明は、バッテリの状態を監視するバッテリ状態監視回路、及び、その回路を複数個搭載するバッテリ装置に関する。
【背景技術】
【０００２】
従来のバッテリ装置について説明する。図４は、従来のバッテリ装置のブロック図である。
【０００３】
各バッテリの状態を監視する制御回路４０２内部に各バッテリの電圧を検出する電圧検出回路（図示せず）が設けられていて、バッテリ２０１とバッテリ２０２とバッテリＸとの電圧はモニターされている。
【０００４】
各バッテリの電圧が過充電電圧未満であって過放電電圧以上であると、制御回路４０２はスイッチ回路４０１をオンさせる信号をスイッチ回路４０１に出力する。すると、スイッチ回路４０１は、オンし、各バッテリの充電及び放電を許可する。
【０００５】
また、充電器５０１が外部端子４０３と外部端子４０４との間に接続され、各バッテリが充電される。各バッテリの中の１個のバッテリの電圧が過充電電圧以上になると、制御回路４０２はスイッチ回路４０１をオフさせる信号をスイッチ回路４０１に出力する。すると、スイッチ回路４０１は、オフし、各バッテリへの充電を禁止する。
【０００６】
また、負荷５０２が外部端子４０３と外部端子４０４との間に接続され、各バッテリが放電する。各バッテリの中の１個のバッテリの電圧が過放電電圧未満になると、制御回路４０２はスイッチ回路４０１をオフさせる信号をスイッチ回路４０１に出力する。すると、スイッチ回路４０１は、オフし、各バッテリからの放電を禁止する（例えば、特許文献１参照）。
【特許文献１】特開２００２−３２０３２４号公報
【発明の開示】
【発明が解決しようとする課題】
【０００７】
しかし、制御回路４０２はバッテリ装置内部のバッテリ数に基づいて回路設計されるので、バッテリ装置が仕様変更されてバッテリ数が変動すると、その度に制御回路４０２が回路設計されることになる。よって、回路設計による開発日程が長くなってしまう。また、回路設計による開発コストが高くなってしまう。
【０００８】
また、バッテリ数が多くなると、制御回路４０２の回路構成が複雑になり、制御回路４０２の製造歩留まりが低くなってしまう。
【０００９】
本発明は、上記課題に鑑みてなされ、バッテリ数の変動に容易に対応でき、容易な回路構成のバッテリ状態監視回路及びバッテリ装置を提供する。
【課題を解決するための手段】
【００１０】
本発明は、上記課題を解決するため、充電器または負荷に接続されるバッテリの状態を監視するバッテリ状態監視回路おいて、前記バッテリの電圧を監視する第一電圧監視端子と、前記バッテリの電圧を監視する第二電圧監視端子と、１個のバッテリに対して設けられ、前記第一電圧監視端子と前記第二電圧監視端子との間の電圧が前記バッテリの過充電状態になる時の電圧以上になると、前記充電器から前記バッテリへの充電を禁止するよう制御する過充電検出回路と、前記１個のバッテリに対して設けられ、前記第一電圧監視端子と前記第二電圧監視端子との間の電圧が前記バッテリの過放電状態になる時の電圧未満になると、前記バッテリから前記負荷への放電を禁止するよう制御する過放電検出回路と、前記１個のバッテリに対して設けられ、前記第一電圧監視端子と前記第二電圧監視端子との間の電圧が前記バッテリの電圧を他のバッテリの電圧に揃えてセルバランスをとり始める時の電圧以上になると、前記バッテリを放電させるセルバランス回路と、を備え、１個の半導体装置として構成されていることを特徴とするバッテリ状態監視回路を提供する。
【００１１】
また、本発明は、充電器または負荷に接続されるバッテリの状態を監視するバッテリ状態監視回路を複数個搭載するバッテリ装置おいて、前記バッテリの充電または放電の経路に設けられた第一スイッチ回路と、複数の前記バッテリと、複数の前記バッテリにそれぞれ並列接続された複数の第二スイッチ回路と、前記バッテリの電圧が前記バッテリの過充電状態になる時の電圧以上になると、前記第一スイッチ回路をオフに制御し、前記充電器から前記バッテリへの充電を禁止するよう制御する過充電検出回路と、前記バッテリの電圧が前記バッテリの過放電状態になる時の電圧未満になると、前記第一スイッチ回路をオフに制御し、前記バッテリから前記負荷への放電を禁止するよう制御する過放電検出回路と、前記バッテリの電圧が前記バッテリの電圧を他のバッテリの電圧に揃えてセルバランスをとり始める時の電圧以上になると、前記第二スイッチ回路をオンに制御し、前記バッテリを放電させるセルバランス回路と、を有し、複数の前記バッテリにそれぞれ並列接続された複数の前記バッテリ状態監視回路と、を備え、前記バッテリ状態監視回路は１個の半導体装置として構成されていることを特徴とするバッテリ装置を提供する。
【００１２】
また、本発明は、充電器または負荷に接続されるバッテリの状態を監視するバッテリ状態監視回路を複数個搭載するバッテリ装置おいて、前記バッテリの充電または放電の経路に設けられた第一スイッチ回路と、複数の前記バッテリと、前記バッテリに並列接続された第二スイッチ回路と、前記バッテリの電圧が前記バッテリの過充電状態になる時の電圧以上になると、前記第一スイッチ回路をオフに制御し、前記充電器から前記バッテリへの充電を禁止するよう制御する過充電検出回路と、前記バッテリの電圧が前記バッテリの過放電状態になる時の電圧未満になると、前記第一スイッチ回路をオフに制御し、前記バッテリから前記負荷への放電を禁止するよう制御する過放電検出回路と、前記バッテリの電圧が前記バッテリの電圧を他のバッテリの電圧に揃えてセルバランスをとり始める時の電圧以上になると、前記第二スイッチ回路をオンに制御し、前記バッテリを放電させるセルバランス回路と、を有し、複数の前記バッテリにそれぞれ並列接続された複数の前記バッテリ状態監視回路と、を備え、前記バッテリ状態監視回路は１個の半導体装置として構成されていることを特徴とするバッテリ装置を提供する。
【発明の効果】
【００１３】
本発明では、各バッテリに対する各バッテリ状態監視回路は同一の回路構成であるので、バッテリ装置の仕様変更によってバッテリ数が変動したことに対し、その変動に基づいてバッテリ装置は同一の回路構成のバッテリ状態監視回路を追加または削除することのみにより、バッテリ装置は容易に対応できる。
【００１４】
また、バッテリ毎にそれぞれ１個の半導体装置として構成されたバッテリ状態監視回路が設けられて回路構成が容易なので、１個のバッテリ状態監視回路が不良品になった場合、その回路だけが良品と交換されることにより、バッテリ装置が正常に動作する。
【発明を実施するための最良の形態】
【００１５】
以下、本発明の実施形態を、図面を参照して説明する。
【００１６】
まず、バッテリ装置の構成について説明する。図１は、バッテリ装置のブロック図である。
【００１７】
バッテリ装置は、バッテリ状態監視回路１１、バッテリ状態監視回路１２、バッテリ状態監視回路Ｌ、バッテリ２１、バッテリ２２、バッテリＭ、スイッチ回路３１、スイッチ回路３２、スイッチ回路Ｎ、スイッチ回路４１、制御回路４２、外部端子４３及び外部端子４４を備えている。バッテリ状態監視回路１１とバッテリ２１とスイッチ回路３１とは第一バッテリユニットであり、バッテリ状態監視回路１２とバッテリ２２とスイッチ回路３２とは第二バッテリユニットであり、バッテリ状態監視回路ＬとバッテリＭとスイッチ回路Ｎとは第三バッテリユニットである。
【００１８】
バッテリ状態監視回路１１とバッテリ状態監視回路１２とバッテリ状態監視回路Ｌとは、それぞれ１個の半導体装置として構成されている。制御回路４２は、例えば、３個のバッテリ状態監視回路に対応して６個の端子を有している。
【００１９】
バッテリ状態監視回路１１及びスイッチ回路３１は、バッテリ２１に並列接続され、１個のバッテリ２１に対して設けられている。バッテリ状態監視回路１２及びスイッチ回路３２は、バッテリ２２に並列接続され、１個のバッテリ２２に対して設けられている。バッテリ状態監視回路Ｌ及びスイッチ回路Ｎは、バッテリＭに並列接続され、１個のバッテリＭに対して設けられている。外部端子４４はバッテリＭの負極端子に接続され、バッテリＭの正極端子はバッテリ２２の負極端子に接続され、バッテリ２２の正極端子はバッテリ２１の負極端子に接続され、バッテリ２１の正極端子はスイッチ回路４１を介して外部端子４３に接続されている。つまり、第一バッテリユニットと第二バッテリユニットと第三バッテリユニットとは、直列接続されている。また、スイッチ回路４１は、各バッテリの充電または放電の経路に設けられている。バッテリ状態監視回路１１は、スイッチ回路３１及び制御回路４２を制御している。バッテリ状態監視回路１２は、スイッチ回路３２及び制御回路４２を制御している。バッテリ状態監視回路Ｌは、スイッチ回路Ｎ及び制御回路４２を制御している。制御回路４２は、スイッチ回路４１を制御している。外部端子４３と外部端子４４との間に、充電器５１または負荷５２が接続されている。
【００２０】
第一バッテリユニットにおいて、バッテリ２１は充電及び放電を行う。所定条件が成立すると、スイッチ回路３１はバッテリ２１を放電させる。バッテリ状態監視回路１１はバッテリ２１の状態を監視する。第二バッテリユニット及び第三バッテリユニットも同様である。
【００２１】
所定条件が成立すると、制御回路４２はスイッチ回路４１を制御する。所定条件が成立すると、スイッチ回路４１は充電器５１から各バッテリへの充電または各バッテリから負荷５２への放電を制御する。充電器５１は各バッテリを充電する。負荷５２は各バッテリによって駆動される。
【００２２】
次に、バッテリ状態監視回路１１の構成について説明する。図２は、バッテリ状態監視回路のブロック図である。バッテリ状態監視回路１２及びバッテリ状態監視回路Ｌも同様である。
【００２３】
バッテリ状態監視回路１１は、過充電検出回路１１ａ、過放電検出回路１１ｂ、セルバランス回路１１ｃ、電圧監視端子１１ｄ、電圧監視端子１１ｅ、制御端子１１ｆ、制御端子１１ｇ及び制御端子１１ｈを備えている。
【００２４】
ここで、バッテリ２１が過充電状態になる時の電圧（充電可能な上限電圧）を過充電電圧とし、バッテリ２１が過放電状態になる時の電圧（放電可能な下限電圧）を過放電電圧とし、バッテリ２１が過充電状態に近い状態になる時の過充電電圧以下の電圧（バッテリ２１の電圧を他のバッテリの電圧に揃えてセルバランスをとり始める時の電圧）をセルバランス電圧とする。
【００２５】
電圧監視端子１１ｄ及び電圧監視端子１１ｅは、それぞれバッテリ２１の正極端子及び負極端子に接続され、バッテリ２１の電圧を監視する。電圧監視端子１１ｄと電圧監視端子１１ｅとの間の電圧が過充電電圧以上になると、バッテリ２１が過充電状態であるので、過充電検出回路１１ａは過充電信号を制御回路４２に出力して充電器５１からバッテリ２１への充電を禁止するよう制御する。電圧監視端子１１ｄと電圧監視端子１１ｅとの間の電圧が過放電電圧未満になると、バッテリ２１が過放電状態であるので、過放電検出回路１１ｂは過放電信号を制御回路４２に出力してバッテリ２１から負荷５２への放電を禁止するよう制御する。この時、過放電検出回路１１ｂは過放電信号を過充電検出回路１１ａ及びセルバランス回路１１ｃにも出力してこれらの回路の全部または一部の動作を停止する。よって、これらの回路による消費電力が小さくなる。電圧監視端子１１ｄと電圧監視端子１１ｅとの間の電圧がセルバランス電圧以上になると、バッテリ２１が過充電状態に近い状態であるので、セルバランス回路１１ｃはセルバランス信号をスイッチ回路３１に出力してバッテリ２１を放電させる。この時、セルバランス回路１１ｃは、各バッテリの電圧を揃える（セルバランスをとる）よう動作している。
【００２６】
次に、スイッチ回路３１のドライブ能力について説明する。スイッチ回路３２及びスイッチ回路Ｎも同様である。
【００２７】
スイッチ回路３１のドライブ能力は、充電器５１からの充電スピード及び過充電電圧とセルバランス電圧との差分電圧に基づき、回路設計される。スイッチ回路３１のドライブ能力が高く回路設計されると、その分、バッテリ２１からの放電量が増え、バッテリ２１への充電スピードが遅くなる。スイッチ回路３１のドライブ能力が所定値以上高く回路設計されると、バッテリ２１への充電量よりもバッテリ２１からの放電量が多くなり、バッテリ２１は放電する。
【００２８】
次に、バッテリ２１に対するバッテリ装置の動作について説明する。
【００２９】
［通常状態］バッテリ２１における電圧監視端子１１ｄと電圧監視端子１１ｅとの間の電圧が過充電電圧未満であって過放電電圧以上であると、過充電検出回路１１ａは過充電信号を制御回路４２に出力せず、過放電検出回路１１ｂも過放電信号を制御回路４２に出力しない。よって、制御回路４２は、スイッチ回路４１をオンに制御する。すると、スイッチ回路４１は、バッテリ２１の充電及び放電を許可する。バッテリ２２及びバッテリＭに対してもバッテリ装置の動作は同様である。
【００３０】
［過充電状態］充電器５１が外部端子４３と外部端子４４との間に接続され、バッテリ２１が充電される。バッテリ２１における電圧監視端子１１ｄと電圧監視端子１１ｅとの間の電圧が過充電電圧以上になると、過充電検出回路１１ａは過充電信号を制御回路４２に出力する。よって、制御回路４２は、過充電信号をレベルシフトしてスイッチ回路４１に出力し、スイッチ回路４１をオフに制御する。すると、スイッチ回路４１は、充電器５１からバッテリ２１への充電を禁止する。バッテリ２２及びバッテリＭに対してもバッテリ装置の動作は同様である。
【００３１】
［過放電状態］負荷５２が外部端子４３と外部端子４４との間に接続され、バッテリ２１が放電する。バッテリ２１における電圧監視端子１１ｄと電圧監視端子１１ｅとの間の電圧が過放電電圧未満になると、過放電検出回路１１ｂは過放電信号を制御回路４２に出力する。よって、制御回路４２は、過放電信号をレベルシフトしてスイッチ回路４１に出力し、スイッチ回路４１をオフに制御する。すると、スイッチ回路４１は、バッテリ２１から負荷５２への放電を禁止する。また、過放電検出回路１１ｂは過放電信号を過充電検出回路１１ａ及びセルバランス回路１１ｃに出力する。この過放電信号により、過充電検出回路１１ａ及びセルバランス回路１１ｃの全部または一部はオフし、バッテリ状態監視回路１１の消費電力が小さくなる。また、電圧監視端子１１ｄがバッテリ状態監視回路１１の電源端子を兼ねていて、バッテリ状態監視回路１１はバッテリ２１から電源が供給されているので、放電しすぎているバッテリ２１の電圧が低くなり、その分、バッテリ状態監視回路１１の消費電力が小さくなる。バッテリ２２及びバッテリＭに対してもバッテリ装置の動作は同様である。
【００３２】
ここで、各バッテリで特性バラツキが生じたことにより、放電中にバッテリ２１の電圧が他のバッテリの電圧よりも早く低くなっている場合、バッテリ状態監視回路１１が他ののバッテリ状態監視回路よりも早く過放電信号を出力することになる。すると、スイッチ回路４１がオフし、放電が禁止される。この時、バッテリ状態監視回路１１の消費電力が小さくなり、バッテリ状態監視回路１１は他のバッテリ状態監視回路よりも消費電力が小さくなる。消費電力が小さくなった分、バッテリ２１は他のバッテリよりも放電スピードが遅くなり、他のバッテリは今まで通りに放電する。よって、放電しすぎているバッテリ２１の放電スピードが遅くなるので、バッテリ装置は各バッテリの電圧を揃える（セルバランスをとる）ことができる。
【００３３】
［セルバランス状態］充電器５１が外部端子４３と外部端子４４との間に接続され、バッテリ２１が充電される。バッテリ２１における電圧監視端子１１ｄと電圧監視端子１１ｅとの間の電圧がセルバランス電圧以上になると、セルバランス回路１１ｃはセルバランス信号をスイッチ回路３１に出力してスイッチ回路３１をオンに制御する。よって、スイッチ回路３１はオンし、充電されているバッテリ２１はスイッチ回路３１を介して放電する。バッテリ２２及びバッテリＭに対してもバッテリ装置の動作は同様である。
【００３４】
ここで、各バッテリで特性バラツキが生じたことにより、充電中にバッテリ２１の電圧が他のバッテリの電圧よりも早く高くなっている場合、バッテリ状態監視回路１１が他のバッテリ状態監視回路よりも早くセルバランス信号を出力することになる。すると、スイッチ回路３１が他のスイッチ回路よりも早くオンし、バッテリ２１は他のバッテリと充電量の変化が異なる。例えば、バッテリ２１は他のバッテリよりも充電スピードが遅くなり、他のバッテリは今まで通りに充電される。または、バッテリ２１は放電し、他のバッテリは今まで通りに充電される。よって、充電されすぎているバッテリの充電スピードが遅くなるので、または、充電されすぎているバッテリ２１が放電するので、バッテリ装置はセルバランスをとることができる。
【００３５】
このようにすると、バッテリ２１とバッテリ２２とバッテリＭとに対するバッテリ状態監視回路１１とバッテリ状態監視回路１２とバッテリ状態監視回路Ｌとは同一の回路構成であるので、バッテリ装置の仕様変更によってバッテリ数が変動したことに対し、その変動に基づいてバッテリ装置は同一の回路構成のバッテリ状態監視回路を追加または削除することのみにより、バッテリ装置は容易に対応できる。よって、回路設計による開発日程が短くなる。また、回路設計による開発コストが低くなる。
【００３６】
また、バッテリ毎にそれぞれ１個の半導体装置として構成されたバッテリ状態監視回路が設けられて回路構成が容易なので、１個のバッテリ状態監視回路が不良品になった場合、その回路だけが良品と交換されることにより、バッテリ装置が正常に動作する。つまり、１個のバッテリ状態監視回路が不良品になることにより、全てのバッテリ状態監視回路及び制御回路における回路全体が従来のように不良品にならない。よって、バッテリ装置内部の回路の製造歩留まりが高くなる。
【００３７】
また、各バッテリで特性バラツキが生じ、各バッテリの充電量の変化が異なっても、各バッテリが過充電状態になる前にバッテリ装置はセルバランスをとるので、各バッテリが過充電状態になりにくくなり、充電が禁止されにくくなる。よって、バッテリ装置の稼動時間が長くなる。
【００３８】
また、各バッテリで特性バラツキが生じ、各バッテリの充電量の変化が異なっても、各バッテリが過放電状態になるとバッテリ装置はセルバランスをとるので、次の充電動作における各バッテリの充電量の初期値が同一に近づき、各バッテリで過充電状態になる前のセルバランスがとられやすくなる。よって、バッテリ装置の稼働時間が長くなる。
【００３９】
なお、バッテリユニットが３個用意されているが、バッテリユニットが４個以上または３個未満用意されてもよい。この時、バッテリユニットの数に基づいて制御回路４２が回路設計される。
【００４０】
また、ノイズによる誤動作が防止されるように、過充電検出回路１１ａは過充電電圧にヒステリシス電圧を設けることができる。過放電検出回路１１ｂ及びセルバランス回路１１ｃも同様である。
【００４１】
また、ノイズによる誤動作が防止されるように、制御回路４２はスイッチ回路４１への出力信号にヒステリシス電圧を設けることができる。
【００４２】
また、ノイズによる誤動作が防止されるように、遅延時間が過充電信号に設けられることができる。過放電信号及びセルバランス信号も同様である。
【００４３】
また、図１では、外部端子４３とバッテリ２１の正極端子との間にスイッチ回路４１が設けられているが、図３に示すように、スイッチ回路４１が削除され、外部端子４４とバッテリＭの負極端子との間にスイッチ回路４１ａが設けられ、制御回路４２が制御回路４２ａに変更されてもよい。この時、スイッチ回路４１は、ＰＭＯＳによって構成され、スイッチ回路４１ａは、ＮＭＯＳによって構成されている。
【００４４】
また、図１では、バッテリ状態監視回路は、スイッチ回路と別々に設けられているが、図示しないが、スイッチ回路を内蔵して設けられてもよい。
【図面の簡単な説明】
【００４５】
【図１】バッテリ装置のブロック図である。
【図２】バッテリ状態監視回路のブロック図である。
【図３】バッテリ装置のブロック図である。
【図４】従来のバッテリ装置のブロック図である。
【符号の説明】
【００４６】
１１、１２、Ｌ  バッテリ状態監視回路            ２１、２２、Ｍ  バッテリ
３１、３２、Ｎ  スイッチ回路                    ４１  スイッチ回路
４２  制御回路                                  ４３、４４  外部端子
５１  充電器                                    ５２  負荷
【図１】
2008278688.tif 000003
【図２】
2008278688.tif 000004
【図３】
2008278688.tif 000005
【図４】
2008278688.tif 000006